(57)【特許請求の範囲】
【請求項１】
柱、梁が鉄骨であり、界壁がコンクリート系壁である鉄骨造，コンクリート系造混合の連続住宅における前記界壁の構造であって、
前記界壁の両面にそれぞれ沿って複数の界壁部鉄骨柱があり、
前記複数の界壁部鉄骨柱は、前記界壁の型枠を組んで前記型枠内に界壁コンクリート系材が打設された後に撤去される定型の型枠材が固定されるように、界壁幅方向に隣合って配置されることを特徴とする連続住宅の界壁構造。
【請求項２】
請求項１に記載の連続住宅の界壁構造において、前記型枠の前記型枠材は、前記界壁幅方向に隣合う界壁部鉄骨柱の間に配置され、前記界壁部鉄骨柱の両側に隣合う前記型枠材は、互いに前記界壁部鉄骨柱を介して離れている連続住宅の界壁構造。
【請求項３】
請求項１または請求項２に記載の連続住宅の界壁構造において、前記界壁の両側の界壁部鉄骨柱は、互いに前記界壁の幅方向の同じ位置にある連続住宅の界壁構造。
【請求項４】
請求項１ないし請求項３のいずれか１項に記載の連続住宅の界壁構造において、前記各界壁部鉄骨柱に、前記界壁の界壁コンクリート系材内に埋め込まれたスタッドが設けられている連続住宅の界壁構造。
【請求項５】
柱，梁が鉄骨であり、界壁がコンクリート系壁である鉄骨造，コンクリート系造混合の連続住宅における前記界壁を構築する方法であって、
前記界壁の両面にそれぞれ沿って位置する柱となる複数の界壁部鉄骨柱の建方を行う建方過程と、
界壁幅方向に隣合う前記界壁部鉄骨柱に定型の型枠材を固定して前記界壁の型枠を組む型枠組み過程と、
前記型枠内に界壁コンクリート系材を打設するコンクリート打設過程と、
前記コンクリートの養生後に前記型枠材を撤去する型枠撤去過程とを含む、
連続住宅の界壁構築方法。
【請求項６】
請求項５に記載の連続住宅の界壁構築方法において、前記界壁の両側の界壁部鉄骨柱は、互いに前記界壁の幅方向の同じ位置にある連続住宅の界壁構築方法。
【請求項７】
請求項５または請求項６に記載の連続住宅の界壁構築方法において、前記界壁部鉄骨柱に前記界壁の前記コンクリート系材の打設によって前記コンクリート系材内に埋め込まれるスタッドを設ける連続住宅の界壁構築方法。
【請求項８】
請求項５ないし請求項７のいずれか１項に記載の連続住宅の界壁構築方法において、前記連続住宅が２階建以上であって、下階部分の界壁コンクリート系材と上階部分の界壁コンクリート系材とを同時に打設する連続住宅の界壁構築方法。
【請求項９】
請求項８に記載の連続住宅の界壁構築方法であって、下階部分の前記界壁部鉄骨柱の建方、および下階部分の前記界壁の型枠の枠組みを行った後、前記下階部分の界壁部鉄骨柱の上端に接合される梁の設置、およびこの梁の上への床デッキプレートの設置を行い、この後、上階部分の前記界壁部鉄骨柱の建方、および上階部分の前記界壁の型枠の枠組みを行い、前記型枠内への下階部分および上階部分の界壁コンクリート系材の打設と前記床デッキプレート上への床スラブコンクリートの打設とを同時に行う連続住宅の界壁構築方法。
【請求項１０】
請求項５に記載の連続住宅の界壁構築方法において、前記連続住宅が２階建以上であって、下階部分の前記界壁部鉄骨柱の建方、下階部分の前記界壁コンクリート系材の打設、養生、型枠材撤去を行った後、上階部分の前記界壁部鉄骨柱の建方を行い、下階部分の界壁コンクリート系材の打設に用いられて撤去された型枠材を、上階部分の界壁コンクリート系材の打設に用いる連続住宅の界壁構築方法。
【発明の詳細な説明】
【技術分野】
【０００１】
この発明は、柱，梁が鉄骨であり、界壁が鉄筋コンクリート壁等のコンクリート系壁である鉄骨造，コンクリート系造混合の連続住宅における界壁構造、およびその構築方法に関する。
【背景技術】
【０００２】
複数の住戸を界壁を介して連続させた連続住宅を建築する場合、建築現場となる国で定める界壁の耐火基準を満たす必要がある。例えば、界壁に遮音性能や２時間の耐火性能が要求されている。連続住宅の工法としては、界壁のみならず建物全体がレンガ造または鉄筋コンクリート造とする工法や、鉄骨造がある。
また、連続住宅ではないが、鉄筋コンクリート壁と鉄骨梁とを接合した工法も提案されている（例えば、特許文献１，２）。
【先行技術文献】
【特許文献】
【０００３】
【特許文献１】特開平１１−１９００６１号公報
【特許文献２】特許４６２１０７２号公報
【発明の概要】
【発明が解決しようとする課題】
【０００４】
レンガ造または鉄筋コンクリート造の連続住宅は、耐火性に優れ、界壁の２時間耐火の要求を満足することが容易であるが、現場作業が多く、品質にバラツキが出る。連続住宅では、中高層の建物を構築する場合と比べて低コストに抑える必要があり、現場作業の精度を上げて高品質とすることは困難である。
鉄骨造の場合は、工業化率を高めて品質の安定と低コスト化を図り易いが、遮音性や耐火性を高めることが難しく、界壁に求められる遮音性能や耐火性能を満足することは非常に困難である。
工業化率を高めつつ、界壁部の遮音性能や耐火性能を満足する適切な工法がない。
なお、特許文献１，２に開示のような鉄筋コンクリート壁と鉄骨梁とを接合する工法を連続住宅に採用し、界壁部のみを鉄筋コンクリート壁とすることは考えられるが、工業化率を高めて品質の安定を図るには、施工性において、今一つ十分ではない。【０００５】
この発明の目的は、高い遮音性や耐火性を持たせることができ、かつ工業化率および品質を高めることができる連続住宅の界壁構造、およびその構築方法を提供することである。
【課題を解決するための手段】
【０００６】  この発明の連続住宅の界壁構造は、柱，梁が鉄骨であり、界壁がコンクリート系壁である鉄骨造，コンクリート系造混合の連続住宅における前記界壁の構造であって、前記界壁の両面にそれぞれ沿って複数の界壁部鉄骨柱があり、前記複数の界壁部鉄骨柱は、前記界壁の型枠を組んで前記型枠内に界壁コンクリート系材が打設された後に撤去される定型の型枠材が固定されるように、界壁幅方向に隣合って配置されることを特徴とする。前記コンクリート系壁は、コンクリートまたはモルタルを用いた壁であって、鉄筋コンクリート壁等であるが、鉄筋を有していても、また有していなくても良い【０００７】  この構成によると、界壁がコンクリート系壁であることから高い遮音性や耐火性を持たせることができる。界壁をコンクリート系壁とするが、界壁の両面に沿って界壁部鉄骨柱が配置されるため、一般の鉄骨鉄筋コンクリート造のような壁内に鉄骨柱を設ける構成と異なり、界壁外部の界壁際に露出して界壁部鉄骨柱が存在し、かつ界壁の両面に界壁部鉄骨柱が存在することになる。そのため、これらの界壁部鉄骨柱に界壁両面の型枠材を固定できて、界壁の型枠を容易にかつ精度良く組むことができる。例えば、型枠の中に鉄骨柱を含むシステム型枠が使用でき、工業化率を高めることができる。したがって、連続住宅の全体を、界壁以外は鉄骨造として工業化率を高めながら、界壁をコンクリート系壁として高い遮音性や耐火性を持たせ、しかもこのコンクリート系壁の打設についても界壁部鉄骨柱の利用による型枠組み工程で工業化率を高め、結果として連続住宅の構造躯体の品質も高めることができる。 この発明の連続住宅の界壁構造において、前記型枠の前記型枠材は、前記界壁幅方向に隣合う界壁部鉄骨柱の間に配置され、前記界壁部鉄骨柱の両側に隣合う前記型枠材は、互いに前記界壁部鉄骨柱を介して離れていても良い。【０００８】
この発明において、前記界壁の両側の界壁部鉄骨柱は、互いに前記界壁の幅方向の同じ位置にあるものとしても良い。
界壁の両側の界壁部鉄骨柱は、必ずしも互いに界壁の幅方向の同じ位置になくても良いが、同じ幅方向位置であると、定型の型枠材を用いて型枠組みを行い易く、かつ界壁を挟む両側の界壁部鉄骨柱を２本で一組の柱として梁と接合する構造設計が行える。【０００９】
前記各界壁部鉄骨柱には、前記界壁の界壁コンクリート系材内に埋め込まれたスタッドが設けられていても良い。なお、前記「界壁コンクリート系材」は、コンクリートまたモルタルである。
スタッドが界壁コンクリート系材内に埋め込まれることで、界壁と界壁部鉄骨柱とが一体化されて、躯体の強度が向上する。
【００１０】  この発明の連続住宅の界壁構築方法は、柱，梁が鉄骨であり、界壁がコンクリート系壁である鉄骨造，コンクリート系造混合の連続住宅における前記界壁を構築する方法であって、前記界壁の両面にそれぞれ沿って位置する柱となる複数の界壁部鉄骨柱の建方を行う建方過程と、界壁幅方向に隣合う前記界壁部鉄骨柱に定型の型枠材を固定して前記界壁の型枠を組む型枠組み過程と、前記型枠内に界壁コンクリート系材を打設するコンクリート打設過程と、前記コンクリートの養生後に前記型枠材を撤去する型枠撤去過程とを含む方法である。  この構築方法によると、この発明の前述の連続住宅の界壁構造が構築でき、界壁に高い遮音性や耐火性を持たせながら、工業化率および品質を高めることができる。【００１１】
この発明方法において、前記界壁の両側の界壁部鉄骨柱は、互いに前記界壁の幅方向の同じ位置にあるものとしても良い。この場合、前述のように定型の型枠材を用いて型枠組みを行い易く、かつ界壁を挟む両側の界壁部鉄骨柱を２本で一組の柱として梁と接合する構造設計が行える。【００１２】
前記界壁部鉄骨柱には、前記界壁の前記コンクリート系材の打設によって前記コンクリート系材内に埋め込まれるスタッドを設けても良い。これにより界壁と界壁部鉄骨柱との一体化が図れる。【００１３】  この発明において、前記連続住宅が２階建以上であって、下階部分の界壁コンクリート系材と上階の部分の界壁コンクリート系材とを同時に打設するものとしても良い。  このように下階部分の界壁コンクリート系材の打設と、上階の部分の界壁コンクリート系材の打設とを同時に行うことで、コンクリート打設に必要なミキサー車等の機材の使用期間が短くて済む。機材をレンタルする場合は、そのレンタル期間を短縮できる。【００１４】  この発明方法において、下階部分の前記界壁部鉄骨柱の建方、および下階部分の前記界壁の型枠の枠組みを行った後、前記下階部分の界壁部鉄骨柱の上端に接合される梁の設置、およびこの梁の上への床デッキプレートの設置を行い、この後、上階部分の前記界壁部鉄骨柱の建方、および上階部分の前記界壁の型枠の枠組みを行い、前記型枠内への下階部分および上階部分の界壁コンクリート系材の打設と前記床デッキプレート上への床スラブコンクリートの打設とを同時に行っても良い。３階以上も同様である。床スラブコンクリートは、コンクリート系材であれば良く、モルタルを含む。  この方法の場合、床スラブコンクリートの打設を含めて各階部分の界壁コンクリート系材の打設を同時に行うため、連続住宅の全体のコンクリート打設に必要な機材の使用期間をより一層短縮できる。【００１５】
この発明において、前記連続住宅が２階建以上であって、下階部分の前記界壁部鉄骨柱の建方、下階部分の前記界壁コンクリート系材の打設、養生、型枠材撤去を行った後、上階部分の前記界壁部鉄骨柱の建方を行い、下階部分の界壁コンクリート系材の打設に用いられて撤去された型枠材を、上階部分の界壁コンクリート系材の打設に用いるものとしても良い。
この構成の場合、下階部分の界壁構築に用いた型枠材を上階の部分の界壁構築に流用できるので、準備する型枠材の個数を削減できる。

【００１６】
請求の範囲および／または明細書および／または図面に開示された少なくとも２つの構成のどのような組合せも、この発明に含まれる。特に、請求の範囲の各請求項の２つ以上のどのような組合せも、この発明に含まれる。
【図面の簡単な説明】
【００１７】  この発明は、添付の部面を参考にした以下の好適な実施形態の説明から、より明確に理解されるであろう。しかしながら、実施形態および図面は単なる図示および説明のためのものであり、この発明の範囲を定めるために利用されるべきものではない。この発明の範囲は添付の請求の範囲によって定まる。添付図面において、複数の図面における同一の符号は、同一または相当する部分を示す。【図１Ａ】この発明の第１実施形態にかかる連続住宅の界壁構造の正面図である。
【図１Ｂ】図１ＡのＩｂ−Ｉｂ矢視断面図である。
【図１Ｃ】図１ＡのＩｃ−Ｉｃ矢視断面図である。
【図１Ｄ】図１Ｂの１ｄの部分の拡大図である。
【図２Ａ】同界壁構造が適用される２階建の連続住宅の１階部分の間取り図である。
【図２Ｂ】同連続住宅の２階部分の間取り図ある。
【図２Ｃ】同連続住宅の正面図である。
【図３Ａ】同連続住宅の界壁構築方法における１階部分の界壁部鉄骨柱の建方過程を示す説明図である。
【図３Ｂ】同建方過程を上方から見て示す説明図である。
【図３Ｃ】同建方過程を側方から見て示す説明図である。
【図４Ａ】同界壁構築方法における１階部分の型枠組み過程を示す説明図である。
【図４Ｂ】同型枠組み過程を上方から見て示す説明図である。
【図４Ｃ】同型枠組み過程を側方から見て示す説明図である。
【図５Ａ】図４ＢのＶａ部を拡大して示す平面図である。
【図５Ｂ】同部における界壁部鉄骨柱への型枠材の固定に用いられる接続金物の一例を示す説明図である。
【図６Ａ】同界壁構築方法における梁の設置および床デッキプレートの設置過程を示す説明図である。
【図６Ｂ】同設置過程を上方から見て示す説明図である。
【図６Ｃ】同設置過程を側方から見て示す説明図である。
【図７Ａ】同界壁構築方法における１階部分の界壁コンクリート系材の打設および床デッキプレート上への床スラブコンクリートの打設の過程を示す説明図である。
【図７Ｂ】同過程を上方から見て示す説明図である。
【図７Ｃ】同過程を示す側方から見て説明図である。
【図８Ａ】同界壁構築方法における２階部分の界壁部鉄骨柱の建方過程および２階部分の型枠組みの過程を示す説明図である。
【図８Ｂ】同過程を上方から見て示す説明図である。
【図８Ｃ】同過程を側方から見て示す説明図である。
【図９Ａ】同界壁構築方法における２階部分の界壁コンクリート系材の打設過程を示す説明図である。
【図９Ｂ】同過程を上方から見て示す説明図である。
【図９Ｃ】同過程を側方から見て示す説明図である。
【図１０Ａ】この発明の第２実施形態にかかる連続住宅の界壁構築方法における１階部分の界壁部鉄骨柱の建方過程を示す説明図である。
【図１０Ｂ】同過程を上方から見て示す説明図である。
【図１０Ｃ】同過程を側方から見て示す説明図である。
【図１１Ａ】同界壁構築方法における１階部分の型枠組み過程を示す説明図である。
【図１１Ｂ】同過程を上方から見て示す説明図である。
【図１１Ｃ】同過程を側方から見て示す説明図である。
【図１２Ａ】同界壁構築方法における梁の設置、および床デッキプレートの設置の過程を示す説明図である。
【図１２Ｂ】同過程を上方から見て示す説明図である。
【図１２Ｃ】同過程を側方から見て示す説明図である。
【図１３Ａ】同界壁構築方法における２階部分の界壁部鉄骨柱の建方過程を示す説明図である。
【図１３Ｂ】同過程を上方から見て示す説明図である。
【図１３Ｃ】同過程を側方から見て示す説明図である。
【図１４Ａ】同界壁構築方法における２階部分の型枠組み過程を示す説明図である。
【図１４Ｂ】同過程を上方から見て示す説明図である。
【図１４Ｃ】同過程を側方から見て示す説明図である。
【図１５】図１４ＣのXV部の拡大図である。
【図１６Ａ】同界壁構築方法における１階部分および２階部分の界壁コンクリート系材の打設と床スラブコンクリートの打設の過程を示す説明図である。
【図１６Ｂ】同過程を上方から見て示す説明図である。
【図１６Ｃ】同過程を側方から見て示す説明図である。
【図１７】この発明の界壁構造の適用が可能な連続住宅の他の例を示す概略平面図である。
【発明を実施するための形態】
【００１８】
この発明の第１実施形態を図１Ａ〜１Ｄおよび図２Ａ〜２Ｃと共に説明する。図２Ａ，２Ｂ，２Ｃは、この連続住宅の界壁構造が適用される２階建の連続住宅２０における１階部分の間取り図、２階部分の間取り図、およびその正面図を示す。この連続住宅２０は、柱，梁が鉄骨であり、界壁１０のみが鉄筋コンクリート壁等のコンクリート系壁である鉄骨造，コンクリート系造混合の住宅である。この例では、連続住宅２０は、鉄骨造，鉄筋コンクリート造混合の住宅である。左右に並ぶ２戸の住戸１９Ａ，１９Ｂが、前記界壁１０を介して連続する１棟の住宅として構築されている。図１Ａはその界壁１０を正面から見た図であり、図１Ｂは図１ＡのＩｂ−Ｉｂ矢視平面図を、図１Ｃは図１ＡのＩｃ−Ｉｃ矢視縦断面図をそれぞれ示す。なお、図３Ａ〜図１６Ｃに示す界壁構築方法の各過程の説明図において、いずれも、分図を示す符号のＡは図１Ａに対応する正面図を、Ｂは図１Ｂに対応する平面図を、Ｃは図１Ｃに対応する縦断面図をそれぞれ示すものとする。
【００１９】
同図の連続住宅２０の界壁構造は、図１Ａ〜１Ｄに示すように、前記界壁１０の両面にそれぞれ沿って複数の界壁部鉄骨柱１を配置したものである。ここでは、各界壁部鉄骨柱１が所定位置のモジュール芯に合わせて配置されている。界壁１０の両側の界壁部鉄骨柱１は、互いに界壁１０の幅方向の同じ位置に配置されている。界壁部鉄骨柱１は、図示の例では角形鋼管を用いているが、Ｈ形鋼や他の形鋼であっても良い。モジュール芯は、モジュール設計する場合の単位長さであるモジュール（例えば１モジュールは８００〜１１００mmの程度の範囲で任意に設計される）毎の芯である。界壁１０のコンクリート内には縦横の鉄筋（図示せず）が埋め込まれている。
【００２０】  界壁１０の１階部分と２階部分との間には鉄骨梁２が横架されている。鉄骨梁２は、その端部が界壁部鉄骨柱１に接合され、または界壁部鉄骨柱１上に鉄骨梁２が接合される。鉄骨梁２は、この例ではＨ形鋼を用いているが、溝形鋼や他の形鋼であっても良い。また図１ＢのＩｄ部を拡大して示す図１Ｄのように、各界壁部鉄骨柱１には、界壁１０の界壁コンクリート系材内に埋め込まれたスタッド３が、上下に並べて複数本設けられている。スタッド３は、頭付きの鋼棒等からなり、基端で界壁部鉄骨柱１に溶接されている。前記界壁コンクリート系材は、この実施形態では界壁コンクリートである。
【００２１】
図３Ａないし図９Ｃは、図１Ａ〜図２Ｃの連続住宅における界壁１０を構築する方法の一実施形態を示す。この連続住宅の界壁構築方法では、先ず、図３Ａ〜３Ｃのように、界壁１０の両面にそれぞれ沿って位置する１階部分の柱となる複数の界壁部鉄骨柱１の建方を行う。このとき、１階部分の全体の柱の建方を行う。次に、図４Ａ〜４Ｃのように、界壁幅方向に隣合う界壁部鉄骨柱１に定型の型枠材４ａを固定すると共に、横に並ぶ型枠材４ａ同士を横端太５で固定して、1 階部分の界壁１０の型枠４を枠組みする。前記定型の型枠材４ａは、いわゆるシステム型枠を構成する型枠材であって、金属型枠材または樹脂製型枠材であり、両側縁に図４Ａ〜４Ｃのように縦リブ４ａａを有し、上下縁にもリブ（図示せず）が設けられている。
【００２２】
界壁部鉄骨柱１への型枠材４ａの固定では、図４ＢのＶａ部を拡大して示す図５Ａのように、断面コ字状のジョイント金物６が用いられ、これにより界壁部鉄骨柱１を挟む左右両側の型枠材４ａの縦リブ４ａと界壁部鉄骨柱１とが前記ジョイント金物６に把持されて互いに接続される。図５Ｂには前記ジョイント金物６の一例を示している。このジョイント金物６は、左右に分割された分割構造の溝形部分６ａがレバー６ｂの回動操作によって幅調整可能とされている。また、このジョイント金物６は、リベット状のボルト１１が取付けられており、このボルト１１を前記界壁部鉄骨柱１に設けたねじ孔（図示せず）に螺合させることにより、ジョイント金物６が界壁部鉄骨柱１に固定される。
【００２３】  次に、図６Ａ〜６Ｃのように、前記１階部分の界壁部鉄骨柱１の上端に接合される鉄骨梁２が設置され、さらにこの鉄骨梁２の上に床デッキプレート７が設置される。なお、連続住宅２０が１階建の場合には、前記床デッキプレート７の設置はなく、その後、型枠４内にコンクリートが打設され、コンクリートの養生後に型枠４を撤去することで界壁１０が完成する。ここでは、この後に、図７Ａ〜７Ｃのように、１階部分の界壁コンクリート系材１０ａの打設と床デッキプレート７上への床スラブコンクリート８の打設とが行われる。
【００２４】  次に、図８Ａ〜８Ｃのように、１階部分のコンクリート１０ａの養生後に前記型枠４を撤去してから、２階部分の界壁部鉄骨柱１の建方が行われる。このとき、２階部分の全体の鉄骨柱の建方が行われる。界壁部では、１階部分の界壁コンクリート系材１０ａの打設に用いられて撤去された型枠材４ａを用いて２階部分の型枠４が１階部分の場合と同様にして枠組みされる。次に、図９Ａ〜９Ｃのように、２階部分の型枠４内に界壁コンクリート系材１０ａが打設される。この後、２階部分の界壁コンクリート系材１０ａの養生後に、２階部分の型枠４が撤去されて図１Ａ〜１Ｄのような２階建用の界壁１０が構築される。
【００２５】
なお、界壁１０における鉄筋の型枠４内への配筋作業は、型枠４の組立の後、または型枠４の組立の途中等における適宜のときに行われる。
【００２６】
この実施形態の連続住宅の界壁構造およびその構築方法によると、界壁１０がコンクリート系壁であることから高い遮音性や耐火性を持たせることができ、求められる遮音性能や耐火性能を満足できる。界壁１０をコンクリート系壁とするが、界壁１０の両面に沿って界壁部鉄骨柱１が配置されるため、一般の鉄骨鉄筋コンクリート造のような壁内に鉄骨柱を設ける構成と異なり、界壁１０の外部の界壁際に露出して界壁部鉄骨柱１が存在し、かつ界壁１０の両面に界壁部鉄骨柱が存在する。そのため、これらの界壁部鉄骨柱１に界壁両面の型枠材４ａを固定できて、界壁１０の型枠４を容易にかつ精度良く組むことができる。例えば、型枠４の中に鉄骨柱１を含むシステム型枠が使用でき、工業化率を高めることができる。したがって、連続住宅２０の全体を、界壁１０以外は鉄骨造のシステム建築等として工業化率を高めながら、界壁１０をコンクリート系壁として高い遮音性や耐火性を持たせ、しかもこのコンクリート系壁の打設についても界壁部鉄骨柱１の利用によるシステマチックな型枠組み工程で工業化率を高め、結果として連続住宅の構造躯体の品質も高めることができる。
特に、界壁部鉄骨柱１を足場として、界壁１０以外の部分を鉄骨構造に構築できることから、連続住宅建築の工業化率も高めることができる。また、界壁１０がコンクリート系壁であることから高い遮音性や耐火性を持たせることもできる。
【００２７】  各界壁部鉄骨柱１には界壁１０の界壁コンクリート系材内に埋め込まれたスタッド３が設けられているので、このスタッド３の介在により界壁１０と界壁部鉄骨柱１との一体化を図ることができる。なお、スタッド３の本数は、界壁１０を耐力要素として考慮しない建物設計の場合は施工に必要な本数で良く、界壁１０を耐力要素とみなす建物設計の場合は、作用する外力に応じたスタッド３の本数が必要である。
【００２８】  また、この実施形態の界壁構築方法では、１階部分の界壁コンクリート系材１０ａの打設、養生、型枠撤去を行った後、２階部分の界壁部鉄骨柱１の建方を行い、１階部分の界壁コンクリート系材１０ａの打設に用いられて撤去された型枠材４ａを、２階部分の界壁コンクリート系材１０ａの打設に用いるようにしているので、型枠材４ａの使用量を削減できる。  
【００２９】
図１０Ａないし図１６Ｃは、前記連続住宅における界壁１０を構築する方法の第２実施形態を示す。この連続住宅の界壁構築方法では、先ず、図１０Ａ〜１０Ｃのように、前記界壁１０の両面にそれぞれ沿って位置する１階部分の柱となる複数の界壁部鉄骨柱１の建方が行われる。次に、図１１Ａ〜１１Ｃのように、界壁幅方向に隣合う前記界壁部鉄骨柱１に定型の型枠材４ａを固定すると共に、横に並ぶ型枠材４ａ同士を横端太５で固定して、1 階部分の界壁１０の型枠が枠組みされる。次に、図１２Ａ〜１２Ｃのように、前記１階部分の界壁部鉄骨柱１の上端に接合される鉄骨梁２が設置され、さらにこの鉄骨梁２の上に床デッキプレート７が設置される。ここまでの過程は、図３Ａ〜図９Ｃに示した実施形態の場合と同様である。
【００３０】  この後、図１３Ａ〜１３Ｃのように、２階部分の界壁部鉄骨柱１の建方が行われ、次いで図１４Ａ〜１４Ｃのように、２階部分の型枠が１階部分の場合と同様にして枠組みされる。この場合、図１４ＣのＸＶ部を拡大して示す図１５のように、型枠の下端と床デッキプレート７との間には、必要に応じて床スラブコンクリート８の厚さ分の隙間Ｇが設けられる。次に、図１６Ａ〜１６Ｃのように、前記型枠内への１階部分および２階部分の界壁コンクリート系材１０ａの打設と床デッキプレート７上への床スラブコンクリート８の打設とが同時に行われる。この後、１階部分および２階部分の界壁コンクリート系材１０ａと床スラブコンクリート８の養生後に、１，２階部分の型枠が撤去されて図１Ａ〜１Ｄのような２階建用の界壁１０が構築される。
【００３１】  この実施形態の界壁構築方法によっても、界壁部鉄骨柱１に型枠の型枠材４ａを固定でき、界壁１０となるコンクリート系壁を容易に成形することができる。特に、この界壁構築方法では、１階部分の界壁部鉄骨柱１の建方、１階部分の界壁１０の型枠の枠組み、１階部分の界壁部鉄骨柱１の上端への鉄骨梁２の設置、この鉄骨梁２の上への床デッキプレート７の設置、２階部分の界壁部鉄骨柱１の建方、２階部分の界壁１０の型枠の枠組みを行った後で、前記型枠内へ１階部分および２階分の界壁コンクリート系材１０ａの打設と床デッキプレート７上への床スラブコンクリート８の打設とを同時に行うようにしているので、コンクリート打設に必要なミキサー車等の機材の使用期間が短くて済み、そのレンタル期間を短縮できる。      
【００３２】
なお、この発明の連続住宅の界壁構造、およびその構築方法は、上記した２戸の住戸１９Ａ，１９Ｂが界壁１０を介して連続する連続住宅２０の場合に限らず、例えば図１７に示すように３戸以上の住戸１９が界壁３１を介して連続する連続住宅３０にも適用できる。
また、界壁の構造を鉄筋コンクリートとしているが、構造耐力を界壁によらない場合等は、コンクリート等他の材料でもよい。
また、上記各実施形態は、連続住宅２０が２階建の場合につき説明したが、連続住宅２０は、３階建以上であっても良い。その場合、界壁の１０につき、全ての階に渡って型枠４を組んでからコンクリート系材１０ａの打設を同時に行ってもよく、また下の階から順に型枠４を組んでコンクリート系材１０ａの打設を行うようにしても良い。下の階から順に型枠４を組んでコンクリート系材１０ａの打設を行う場合、任意の複数階の部分をまとめて、型枠４を組んでコンクリート系材１０ａの打設を行うようにしても良い。下の階から順に型枠４を組んでコンクリート系材１０ａの打設を行う場合、下の階で用いた型枠４を、その撤去後に上の階に用いても良い。床デッキプレート上への床スラブコンクリートの打設は、型枠４を組んだ階に合わせて行う。
【００３３】
以上のとおり、図面を参照しながら好適な実施形態および応用形態を説明したが、当業者であれば、本件明細書を見て、自明な範囲内で種々の変更および修正を容易に想定するであろう。したがって、そのような変更および修正は、請求の範囲から定まる発明の範囲内のものと解釈される。
【符号の説明】
【００３４】１…界壁部鉄骨柱２…鉄骨梁３…スタッド４…型枠４ａ…型枠材７…床デッキプレート８…床スラブコンクリート１０…界壁１０ａ…界壁コンクリート系材２０，３０…連続住宅
【図１Ａ】
0005893647.tif 000002
【図１Ｂ】
0005893647.tif 000003
【図１Ｃ】
0005893647.tif 000004
【図１Ｄ】
0005893647.tif 000005
【図２Ａ】
0005893647.tif 000006
【図２Ｂ】
0005893647.tif 000007
【図２Ｃ】
0005893647.tif 000008
【図３Ａ】
0005893647.tif 000009
【図３Ｂ】
0005893647.tif 000010
【図３Ｃ】
0005893647.tif 000011
【図４Ａ】
0005893647.tif 000012
【図４Ｂ】
0005893647.tif 000013
【図４Ｃ】
0005893647.tif 000014
【図５Ａ】
0005893647.tif 000015
【図５Ｂ】
0005893647.tif 000016
【図６Ａ】
0005893647.tif 000017
【図６Ｂ】
0005893647.tif 000018
【図６Ｃ】
0005893647.tif 000019
【図７Ａ】
0005893647.tif 000020
【図７Ｂ】
0005893647.tif 000021
【図７Ｃ】
0005893647.tif 000022
【図８Ａ】
0005893647.tif 000023
【図８Ｂ】
0005893647.tif 000024
【図８Ｃ】
0005893647.tif 000025
【図９Ａ】
0005893647.tif 000026
【図９Ｂ】
0005893647.tif 000027
【図９Ｃ】
0005893647.tif 000028
【図１０Ａ】
0005893647.tif 000029
【図１０Ｂ】
0005893647.tif 000030
【図１０Ｃ】
0005893647.tif 000031
【図１１Ａ】
0005893647.tif 000032
【図１１Ｂ】
0005893647.tif 000033
【図１１Ｃ】
0005893647.tif 000034
【図１２Ａ】
0005893647.tif 000035
【図１２Ｂ】
0005893647.tif 000036
【図１２Ｃ】
0005893647.tif 000037
【図１３Ａ】
0005893647.tif 000038
【図１３Ｂ】
0005893647.tif 000039
【図１３Ｃ】
0005893647.tif 000040
【図１４Ａ】
0005893647.tif 000041
【図１４Ｂ】
0005893647.tif 000042
【図１４Ｃ】
0005893647.tif 000043
【図１５】
0005893647.tif 000044
【図１６Ａ】
0005893647.tif 000045
【図１６Ｂ】
0005893647.tif 000046
【図１６Ｃ】
0005893647.tif 000047
【図１７】
0005893647.tif 000048